(57)【特許請求の範囲】
【請求項１】
外部電源の遮断の要求を受け付ける受付部と、
前記受付部によって前記外部電源の遮断の要求が受け付けられると、所定の負荷が稼働しているか判断する判断部と、
前記判断部によって前記所定の負荷が稼働していると判断されると、前記所定の負荷の稼働の停止を要求する一方で、前記所定の負荷が稼働していないと判断されると、前記所定の負荷の稼働の停止を要求しない停止要求部と、
停止の要求がされた負荷が惰性動作する負荷であるか判断する惰性判断部と、
前記惰性判断部によって、前記停止の要求がされた負荷が惰性動作する負荷であると判断された場合には、前記負荷が停止したものとみなして前記外部電源を遮断する一方で、前記停止の要求がされた負荷が惰性動作する負荷ではないと判断された場合には、前記負荷の停止を示す情報を受信してから前記外部電源を遮断する遮断部と、を有することを特徴とする電源遮断装置。
【請求項２】
前記所定の負荷を示す負荷情報と、前記所定の負荷の稼働を停止させる順位を示す順位情報とを対応づけて管理する順位管理部と、
前記停止要求部によって前記所定の負荷への前記稼働の停止が要求される場合に、前記順位管理部から前記所定の負荷を示す負荷情報に対応付けられた順位情報を取得する順位取得部と、を有し、
前記停止要求部が、前記順位取得部によって取得された順位情報に基づいて、前記所定の負荷の稼働の停止を要求することを特徴とする請求項１に記載の電源遮断装置。
【請求項３】
前記負荷に所定の信号を出力することにより前記所定の負荷の稼働の開始及び停止を制御する負荷制御部と、
前記所定の信号を検知する信号検知部と、を有し、
前記判断部が、前記信号検知部による検知結果に基づいて、前記所定の負荷が稼働しているか判断することを特徴とする請求項１又は２に記載の電源遮断装置。
【請求項４】
前記所定の負荷の稼働の開始を要求する開始要求部を有し、
前記判断部が、前記開始要求部の前記要求及び前記停止要求部の前記要求のうち、最先の要求に基づいて、前記所定の負荷が稼働しているか判断することを特徴とする請求項１又は２に記載の電源遮断装置。
【請求項５】
請求項１乃至４のいずれか一項に記載の電源遮断装置を備えたことを特徴とする画像形成装置。
【請求項６】
電源遮断装置が、
外部電源の遮断の要求を受け付ける受付工程と、
前記受付工程によって前記外部電源の遮断の要求が受け付けられると、所定の負荷が稼働しているか判断する判断工程と、
前記判断工程によって前記所定の負荷が稼働していると判断されると、前記所定の負荷の稼働の停止を要求する一方で、前記所定の負荷が稼働していないと判断されると、前記所定の負荷の稼働の停止を要求しない停止要求工程と、
停止の要求がされた負荷が惰性動作する負荷であるか判断する惰性判断工程と、
前記惰性判断工程において、前記停止の要求がされた負荷が惰性動作する負荷であると判断された場合には、前記負荷が停止したものとみなして前記外部電源を遮断する一方で、前記停止の要求がされた負荷が惰性動作する負荷ではないと判断された場合には、前記負荷の停止を示す情報を受信してから前記外部電源を遮断する遮断工程と、を有することを特徴とする電源遮断方法。
【請求項７】
電源遮断装置に、
外部電源の遮断の要求を受け付ける受付処理と、
前記受付処理によって前記外部電源の遮断の要求が受け付けられると、所定の負荷が稼働しているか判断する判断処理と、
前記判断処理によって前記所定の負荷が稼働していると判断されると、前記所定の負荷の稼働の停止を要求する一方で、前記所定の負荷が稼働していないと判断されると、前記所定の負荷の稼働の停止を要求しない停止要求処理と、
停止の要求がされた負荷が惰性動作する負荷であるか判断する惰性判断処理と、
前記惰性判断処理において、前記停止の要求がされた負荷が惰性動作する負荷であると判断された場合には、前記負荷が停止したものとみなして前記外部電源を遮断する一方で、前記停止の要求がされた負荷が惰性動作する負荷ではないと判断された場合には、前記負荷の停止を示す情報を受信してから前記外部電源を遮断する遮断処理と、を実行させることを特徴とする電源遮断装置用プログラム。
【発明の詳細な説明】
【技術分野】
【０００１】
本発明は、所定の負荷の稼働を停止させた後に外部電源を遮断する電源遮断装置に関する。
【背景技術】
【０００２】
従来、情報処理装置の一例としての画像形成装置は、ＣＰＵ（Central Processing Unit）を用いた制御によって、用紙の搬送、トナー像の形成、転写、或いは定着などのプロセスを実現することが知られている。この場合、画像形成装置は、外部電源から供給された電力を負荷の一例としてのモータ、ファン、及びヒータに供給して、それらを稼働させることにより、上記の各プロセスを実現する。
【０００３】
画像形成装置において外部電源を遮断（シャットダウン）する場合、次に電源を入れたときに装置が正常に動作するように、安全な状態でシステムを停止させる処理が実行される。この処理は、実行中の印刷処理を完了させる処理や、モータ、ファン、及びヒータなどの稼働を停止させる処理を含む。
【０００４】
ところが、画像形成装置の多機能化に伴い、画像形成装置は、新たな機能に対応した新たな負荷を備えるようになった。このため、外部電源を遮断する前に停止させる必要のある負荷の数が増加し、画像形成装置のシャットダウンに要する時間が増加するようになった。
【０００５】
近年、電源オフ指示に応答して、シャットダウン処理のうち一部の処理を実行させる第１の制御手段と、ユーザによる実行指示に応答して、シャットダウン処理のうちの残部の処理を実行させる第２の制御手段とを含む画像形成装置が提案された。この提案によると、実行指示を受け付ける前にシャットダウン処理の一部の処理が実行されているので、実行指示がなされたときからシャットダウン処理が完了するまでの時間を短縮することができるとしている。
【発明の概要】
【発明が解決しようとする課題】
【０００６】
しかしながら、従来の方法により、シャットダウン処理の途中にユーザに所定の確認を要求したとしても、要求の前後でシャットダウン処理に必要なプロセスの総数は減らない。このため、シャットダウン処理に要する時間を実質的に短縮することができないという課題があった。
【課題を解決するための手段】
【０００７】
請求項１に係る発明は、外部電源の遮断の要求を受け付ける受付部と、前記受付部によって前記外部電源の遮断の要求が受け付けられると、所定の負荷が稼働しているか判断する判断部と、前記判断部によって前記所定の負荷が稼働していると判断されると、前記所定の負荷の稼働の停止を要求する一方で、前記所定の負荷が稼働していないと判断されると、前記所定の負荷の稼働の停止を要求しない停止要求部と、停止の要求がされた負荷が惰性動作する負荷であるか判断する惰性判断部と、前記惰性判断部によって、前記停止の要求がされた負荷が惰性動作する負荷であると判断された場合には、前記負荷が停止したものとみなして前記外部電源を遮断する一方で、前記停止の要求がされた負荷が惰性動作する負荷ではないと判断された場合には、前記負荷の停止を示す情報を受信してから前記外部電源を遮断する遮断部と、を有することを特徴とする電源遮断装置である。
【０００８】
請求項５に係る発明は、請求項１乃至４のいずれか一項に記載の電源遮断装置を備えたことを特徴とする画像形成装置である。
【０００９】
請求項６に係る発明は、電源遮断装置が、外部電源の遮断の要求を受け付ける受付工程と、前記受付工程によって前記外部電源の遮断の要求が受け付けられると、所定の負荷が稼働しているか判断する判断工程と、前記判断工程によって前記所定の負荷が稼働していると判断されると、前記所定の負荷の稼働の停止を要求する一方で、前記所定の負荷が稼働していないと判断されると、前記所定の負荷の稼働の停止を要求しない停止要求工程と、停止の要求がされた負荷が惰性動作する負荷であるか判断する惰性判断工程と、前記惰性判断工程において、前記停止の要求がされた負荷が惰性動作する負荷であると判断された場合には、前記負荷が停止したものとみなして前記外部電源を遮断する一方で、前記停止の要求がされた負荷が惰性動作する負荷ではないと判断された場合には、前記負荷の停止を示す情報を受信してから前記外部電源を遮断する遮断工程と、を有することを特徴とする電源遮断方法である。
【００１０】
請求項７に係る発明は、電源遮断装置に、外部電源の遮断の要求を受け付ける受付処理と、前記受付処理によって前記外部電源の遮断の要求が受け付けられると、所定の負荷が稼働しているか判断する判断処理と、前記判断処理によって前記所定の負荷が稼働していると判断されると、前記所定の負荷の稼働の停止を要求する一方で、前記所定の負荷が稼働していないと判断されると、前記所定の負荷の稼働の停止を要求しない停止要求処理と、停止の要求がされた負荷が惰性動作する負荷であるか判断する惰性判断処理と、前記惰性判断処理において、前記停止の要求がされた負荷が惰性動作する負荷であると判断された場合には、前記負荷が停止したものとみなして前記外部電源を遮断する一方で、前記停止の要求がされた負荷が惰性動作する負荷ではないと判断された場合には、前記負荷の停止を示す情報を受信してから前記外部電源を遮断する遮断処理と、を実行させることを特徴とする電源遮断装置用プログラムである。
【発明の効果】
【００１１】
以上説明したように本発明によれば、電源遮断装置は、外部電源の遮断の要求が受け付けられると、所定の負荷が稼働しているか判断する。また、電源遮断装置は、所定の負荷が稼働していると判断されると、所定の負荷の稼働の停止を要求する。これにより、電源遮断装置は、稼働が停止していた負荷に対しては、稼働の停止の要求をしないことが可能となるので、シャットダウンに要する時間を短縮することができるという効果を奏する。
【図面の簡単な説明】
【００１２】
【図１】本発明の一実施形態に係る電源遮断装置の一例としての制御部を備えた画像形成装置の模式図である。
【図２】本発明の一実施形態に係る電源遮断装置の一例としての制御部のハードウェア構成図である。
【図３】本発明の一実施形態に係る電源遮断装置の一例としての制御部の機能ブロック図である。
【図４】状態管理テーブルを示す概念図である。
【図５】順位管理テーブルを示す概念図である。
【図６】惰性管理テーブルを示す概念図である。
【図７】シャットダウン処理の要求を受け付けた後の画像形成装置の処理を示した処理フロー図である。
【図８】第１のモードによるシャットダウン処理を示した概念図である。
【図９】第２のモードによるシャットダウン処理を示した概念図である。
【図１０】画像形成装置の各負荷の稼働の状態を管理する処理を示した処理フロー図である。
【図１１】負荷の停止を要求する処理を示した処理フロー図である。
【図１２】電源を遮断する準備段階の処理を示した処理フロー図である。
【発明を実施するための形態】
【００１３】
＜＜実施形態の全体構成＞＞
以下、図面を用いて、本発明の一実施形態について説明する。図１は、本発明の一実施形態に係る電源遮断装置の一例としての制御部を備えた画像形成装置の模式図であり、まずは図１を用いて、本実施形態の全体構成を説明する。
【００１４】
図１に示されているように、画像形成装置１は、給紙される記録媒体の一例としての用紙が積載された給紙カセット１１１と、給紙カセット１１１に積載された用紙を一枚ずつ給紙する給紙ローラ１１２と、給紙ローラ１１２を駆動する給紙ローラ用モータ１１３とを備えている。
【００１５】
また、画像形成装置１は、給紙ローラ１１２によって給紙された用紙を搬送する搬送ローラ１２１と、搬送ローラ１２１を駆動する搬送ローラ用モータ１２２と、搬送ローラ１２１によって搬送された用紙の先端部を挟み込んで待機し、用紙を所定のタイミングでトナーの転写位置に送り出す一対のタイミングローラ１２３と、を備えている。なお、用紙の搬送経路には、搬送される用紙をガイドさせる不図示のガイド部材が備えられている。
【００１６】
また、画像形成装置１は、所定の間隔をおいて、イエロートナーを有した現像剤を用いて現像する画像形成ユニット１３０ａと、シアントナーを有した現像剤を用いて現像する画像形成ユニット１３０ｂと、マゼンタトナーを有した現像剤を用いて現像する画像形成ユニット１３０ｃと、ブラックトナーを有した現像剤を用いて現像する画像形成ユニット１３０ｄと、画像データに基づき光を照射して潜像を書き込む書込ユニット１３３と、を備えている。
【００１７】
なお、本実施形態では、画像形成ユニット（１３０ａ，１３０ｂ，１３０ｃ，１３０ｄ）のうち任意の画像形成ユニットを示す場合には「画像形成ユニット１３０」を用いる。また、本実施形態において、トナーとは、顔料や染料等の色材を付着又は含有し、帯電性を持った樹脂粒子を意味する。
【００１８】
図１において４つの画像形成ユニット１３０は、それぞれに用いられる現像剤が異なるのみで、機械的な構成は実質的に同様である。画像形成ユニット１３０には、時計回りに回転可能に設けられ、潜像及びトナー像が形成される感光ドラム（１３１ａ，１３１ｂ，１３１ｃ，１３１ｄ）と、感光ドラム（１３１ａ，１３１ｂ，１３１ｃ，１３１ｄ）の表面を一様に帯電させる帯電器（１３２ａ，１３２ｂ，１３２ｃ，１３２ｄ）と、帯電器（１３２ａ，１３２ｂ，１３２ｃ，１３２ｄ）によって帯電された感光ドラム（１３１ａ，１３１ｂ，１３１ｃ，１３１ｄ）の表面に、書込ユニット１３３によって光を照射されて形成された潜像をトナー像に現像する現像器（１３４ａ，１３４ｂ，１３４ｃ，１３４ｄ）と、感光ドラム（１３１ａ，１３１ｂ，１３１ｃ，１３１ｄ）に対向して設けられ、感光ドラム１３１の表面に形成された各トナー像を転写媒体に１次転写するための１次転写ローラ（１３５ａ，１３５ｂ，１３５ｃ，１３５ｄ）と、トナー像が１次転写された後の感光ドラム（１３１ａ，１３１ｂ，１３１ｃ，１３１ｄ）の表面を除電する除電器（１３６ａ，１３６ｂ，１３６ｃ，１３６ｄ）と、除電器（１３６ａ，１３６ｂ，１３６ｃ，１３６ｄ）で除電された感光ドラム（１３１ａ，１３１ｂ，１３１ｃ，１３１ｄ）の表面に残った転写残トナーを除去する清掃器（１３７ａ，１３７ｂ，１３７ｃ，１３７ｄ）とが備えられている。
【００１９】
なお、本実施形態では、感光ドラム（１３１ａ，１３１ｂ，１３１ｃ，１３１ｄ）のうち任意の感光ドラムを示す場合には「感光ドラム１３１」を用いる。帯電器（１３２ａ，１３２ｂ，１３２ｃ，１３２ｄ）のうち任意の帯電器を示す場合には「帯電器１３２」を用いる。また、現像器（１３４ａ，１３４ｂ，１３４ｃ，１３４ｄ）のうち任意の現像器を示す場合には「現像器１３４」を用いる。また、１次転写ローラ（１３５ａ，１３５ｂ，１３５ｃ，１３５ｄ）のうち任意の１次転写ローラを示す場合には「１次転写ローラ１３５」を用いる。また、除電器（１３６ａ，１３６ｂ，１３６ｃ，１３６ｄ）のうち任意の除電器を示す場合には「除電器１３６」を用いる。また、清掃器（１３７ａ，１３７ｂ，１３７ｃ，１３７ｄ）のうち任意の清掃器を示す場合には「清掃器１３７」を用いる。
【００２０】
書込ユニット１３３は、画像データに基づいてレーザー光を発生させるＬＤ(laser Diode)１３３ｘと、所定方向に回転することにより発生したレーザー光を反射して各感光ドラム１３１に照射するためのポリゴンミラー１３３ｙと、ポリゴンミラー１３３ｙを駆動するポリゴンモータ１３３ｚとを備えている。
【００２１】
また、画像形成装置１は、複数のローラ１４１と、２次対向ローラ１４２と、に掛け渡され、感光ドラム１３１の表面から順次１次転写されたトナー像を保持した状態で循環する転写媒体の一例としての中間転写ベルト１４３、中間転写ベルト１４３を挟んで、２次対向ローラ１４２に対向して設けられた２次転写ローラ１４４を備えている。これにより、２次転写ローラ１４４と中間転写ベルト１４３とによって挟み込まれた用紙に２次転写バイアスがかけられることで、中間転写ベルト１４３に保持されたトナー像が用紙に転写される。
【００２２】
また、画像形成装置１は、用紙を加熱するヒータ１５１を備えた加熱ローラ１５２と、加熱ローラ１５２によって発生した熱を装置外に排気するためのファン１５３と、加熱ローラ１５２に回転可能に押し当てて加圧することにより接触面（ニップ部）を形成させる加圧ローラ１５４と、加熱ローラ１５２及び加圧ローラ１５４を回転駆動する定着部モータ１５５と、を備えている。
【００２３】
また、画像形成装置１は、両面印刷を行うために、トナーが定着された用紙を反転させた後タイミングローラ１２３に至る搬送経路に給紙する機構を有した両面印刷ユニット１６１を備えている。両面印刷ユニット１６１は、トナーを定着させた用紙をスイッチバックさせて、タイミングローラ１２３に至る搬送経路に送り出すことにより用紙を反転させる反転ローラ１６２と、反転ローラを駆動する反転ローラ用モータ１６３と、を備えている。
【００２４】
また、画像形成装置１は、トナーが定着された用紙を排紙する排紙ローラ１６４と、排紙ローラ１６４を駆動する排紙ローラ用モータ１６５と、排紙ローラ１６４によって排紙された用紙を収容する排紙トレイ１６６と、を備えている。
【００２５】
また、画像形成装置１は、給紙される原稿を収容する原稿給紙部１７１と、給紙された原稿の画像を読み取るスキャナ１７２と、画像が読み取られた原稿が排紙される原稿排紙部１７３と、を有している。
【００２６】
また、画像形成装置１は、後述のＣＰＵ（Central Processing Unit）や、ＲＯＭ（Read Only Memory）及びＲＡＭ（Random Access Memory）等の記憶装置を備えた電源遮断装置の一例としての制御部１８０を有している。
【００２７】
画像形成装置１の制御部１８０のハードウェア構成について図２を用いて説明する。図２は、本発明の一実施形態に係る電源遮断装置の一例として制御部１８０のハードウェア構成図である。制御部１８０は、電源遮断処理時に用紙の搬送や、画像形成を行うための機構部の駆動を制御するエンジン１８１と、エンジン１８１に対して各種の要求を行うコントローラ１８２とを備えている。エンジン１８１と、コントローラ１８２とは、バスの一例としてのＰＣＩバス１８００によって接続されている。
【００２８】
エンジン１８１は、エンジン１８１の全体の動作を制御するエンジンＣＰＵ１８１１と、エンジン１８１に各種機能又は各種手段を実現させるためのプログラムを記憶したエンジンＲＯＭ１８１２と、ＣＰＵ１８１１のワークエリアとして使用されるエンジンＲＡＭ１８１３と、各種データを記憶する不揮発性のエンジンＮＶＲＡＭ（Non-volatile Random Access Memory）１８１４と、所定の信号を出力することによりモータ(１１３，１２２，１３３ｚ，１５５，１６３，１６５)、ヒータ１５１、及びファン１５３等の駆動を制御するＡＳＩＣ（Application Specific Integrated Circuit）１８１５とを備えている。
【００２９】
コントローラ１８２は、コントローラ１８２の全体の動作を制御するコントローラＣＰＵ１８２１と、コントローラ１８２に各種機能又は各種手段を実現させるためのプログラムを記憶したコントローラＲＯＭ１８２２と、コントローラＣＰＵ１８２１のワークエリアとして使用されるコントローラＲＡＭ１８２３と、各種データを記憶する不揮発性のコントローラＮＶＲＡＭ１８２４と、ユーザに操作内容を報知する表示パネルとユーザからの操作入力を受け付ける操作パネルとを兼ね備えた表示操作パネル１８２５と、外部の情報処理装置などの機器とデータ伝送をするためのＩ／Ｆ（Interface）１８２６、及び、上記各構成要素を図２に示されているように電気的に接続するためのアドレスバスやデータバス等のバスライン１８２７を備えている。
【００３０】
＜＜実施形態の機能構成＞＞
次に、図３を用いて本実施形態の機能構成について説明する。図３は、本発明の一実施形態に係る電源遮断装置の一例としての画像形成装置１の機能ブロック図である。
【００３１】
＜エンジンの機能構成＞
画像形成装置１の制御部１８０のエンジン１８１は、状態検知部１８３１と、モータ制御部１８３２と、ヒータ制御部１８３３と、ファン制御部１８３４と、を有している。これら各部は、図２に示されている各構成要素のいずれかが、エンジンＲＯＭ１８１２に記憶されているプログラムに従ったエンジンＣＰＵ１８１１からの命令によって動作することで実現される機能又は手段である。
【００３２】
＜エンジンの各機能部＞
状態検知部１８３１は、エンジンＲＯＭ１８１２に記憶されているプログラムに従ったエンジンＣＰＵ１８１１からの命令によって、画像形成装置１の各負荷の稼働の状態を定期的に検知する。なお、本実施形態において負荷とは、電気的エネルギーを消費するものを意味し、具体的には画像形成装置１の搬送ローラ用モータ１２２、ファン１５３、ヒータ１５１などが挙げられる。また、本実施形態において稼働とは、電力が供給されることにより、負荷が機能することを意味する。
【００３３】
モータ制御部１８３２は、ＡＳＩＣ１８１５からの信号の出力により、給紙ローラ用モータ１１３、搬送ローラ用モータ１２２、ポリゴンモータ１３３ｚ、定着部モータ１５５、反転ローラ用モータ１６３、及び排紙ローラ用モータ１６５の稼働を制御する。
【００３４】
ヒータ制御部１８３３は、ＡＳＩＣ１８１５からの信号の出力により、ヒータ１５１の稼働を制御する。ファン制御部１８３４は、ＡＳＩＣ１８１５からの信号の出力により、ファン１５３の稼働を制御する。
【００３５】
＜コントローラの機能構成＞
画像形成装置１の制御部１８０のコントローラ１８２は、状態管理部１８４１と、停止判断部１８４２と、順位判断部１８４３と、惰性判断部１８４５と、外部電源スイッチ１８４６と、記憶読出処理部１８４７と、を有している。これら各部は、図２に示されている各構成要素のいずれかが、ＲＯＭ１８２２に記憶されているプログラムに従ったコントローラＣＰＵ１８２１からの命令によって動作することで実現される機能又は手段である。また、コントローラ１８２は、図３に示されているコントローラＮＶＲＡＭ１８２４によって構築される記憶部１８５を有している。
【００３６】
（状態管理テーブル）
記憶部１８５には、図４に示されているような状態管理テーブルによって構成されている状態管理ＤＢ（Data Base）１８５１が構築される。図４は、状態管理テーブルを示す概念図である。図４の状態管理テーブルでは、画像形成装置１の外部電源を遮断する前に稼働を停止する必要のある負荷を示す負荷情報と、この負荷の稼働の状態を示す状態情報と、が対応付けられて管理される。状態情報は、負荷が稼働していない状態を示す「０」と、負荷が稼働している状態を示す「１」とを含む。図４に示される状態管理テーブルは、画像形成装置１の給紙ローラ用モータ１１３は稼働していないことを示す。
【００３７】
（順位管理テーブル）
記憶部１８５には、図５に示されているような順位管理テーブルによって構成されている順位管理ＤＢ１８５２が構築される。図５は、順位管理テーブルを示す概念図である。図５の順位管理テーブルでは、画像形成装置１の外部電源を遮断する前に稼働を停止する必要のある負荷を示す負荷情報と、この負荷の稼働を停止する際の停止する順位を示す順位情報と、が対応付けられて管理される。図５の順位管理テーブルでは、順位情報の値が大きくなるにしたがい、負荷を停止する順位が後になるよう管理される。図５に示される順位管理テーブルは、給紙ローラ用モータ１１３が、反転ローラ用モータ１６３より先に稼働を停止することを示す。
【００３８】
（惰性管理テーブル）
記憶部１８５には、図６に示されているような惰性管理テーブルによって構成されている惰性管理ＤＢ１８５３が構築される。図６は、惰性管理テーブルを示す概念図である。図６の惰性管理テーブルでは、画像形成装置１の外部電源を遮断する前に稼働を停止する必要のあるの負荷を示す負荷情報と、この負荷に稼働の停止を要求した後も惰性動作する負荷であるか否かを示す惰性情報と、が対応付けられて管理される。
【００３９】
本実施形態において惰性動作とは、外力が働かなければ続く動作を意味する。なお、本実施形態では、惰性管理テーブルには、惰性動作中に電源を遮断することが許容された惰性を示す惰性情報が管理される。惰性情報は、惰性動作しない負荷であることを示す「０」と、惰性動作する負荷であることを示す「１」とを含む。図６に示される惰性管理テーブルは、ポリゴンモータ１３３ｚが、惰性動作する負荷であることを示す。
【００４０】
＜コントローラの各機能部＞
状態管理部１８４１は、コントローラＲＯＭ１８２２に記憶されているプログラムに従ったコントローラＣＰＵ１８２１からの命令によって、状態管理テーブル（図４参照）で管理される各負荷の状態を更新する。停止判断部１８４２は、コントローラＲＯＭ１８２２に記憶されているプログラムに従ったコントローラＣＰＵ１８２１からの命令によって、画像形成装置１の外部電源を遮断する前に稼働を停止する必要のある負荷毎に、この負荷の稼働が停止されているか判断する。
【００４１】
順位判断部１８４３は、コントローラＲＯＭ１８２２に記憶されているプログラムに従ったコントローラＣＰＵ１８２１からの命令によって、停止判断部１８４２で停止されていないと判断された負荷について、この負荷の稼働を停止させる順位があるか判断する。
【００４２】
停止要求部１８４４は、コントローラＲＯＭ１８２２に記憶されているプログラムに従ったコントローラＣＰＵ１８２１からの命令によって、エンジン１８１に対して負荷の停止の要求をする。
【００４３】
惰性判断部１８４５は、コントローラＲＯＭ１８２２に記憶されているプログラムに従ったコントローラＣＰＵ１８２１からの命令によって、停止要求部１８４４によって停止の要求がされた負荷が惰性動作する負荷であるか判断する。
【００４４】
外部電源スイッチ１８４６は、コントローラＲＯＭ１８２２に記憶されているプログラムに従ったコントローラＣＰＵ１８２１からの命令によって、画像形成装置１が外部電源２００と接続した状態と遮断した状態とを切り替える。
【００４５】
記憶読出処理部１８４７は、コントローラＲＯＭ１８２２に記憶されているプログラムに従ったコントローラＣＰＵ１８２１からの命令によって、記憶部１８５に各種データを記憶したり、記憶部１８５に記憶された各種データを読み出す処理を行う。
【００４６】
＜＜実施形態の処理・動作＞＞
続いて、本実施形態に係る画像形成装置１における処理方法を説明する。まず、画像形成装置１のネットワークＩ／Ｆ１８２６は、通信ネットワークを介して画像出力端末によって送信され、画像データ、印刷条件が含まれた画像形成要求情報を受信する。本実施形態では、画像データがＲＧＢ画像データである場合について説明する。印刷条件には、用紙サイズ、印刷面（片面又は両面）などが含まれている。
【００４７】
ネットワークＩ／Ｆ１８２６が画像形成要求情報を受信すると、コントローラ１８２は、コントローラＲＯＭ１８２２に記憶されているプログラムに従ったコントローラＣＰＵ１８２１からの命令によって、イエロー（Ｙ）、ブラック（Ｋ）、シアン（Ｃ）、及びマゼンタ（Ｍ）の各トナーによって形成される画像の画像データを生成する。
【００４８】
この場合、コントローラ１８２は、画像形成要求情報に含まれるＲＧＢ画像データを色変換処理して、トナーの各色（Ｃ，Ｍ，Ｙ，Ｋ）に対応した色分解データからなるＣＭＹＫ画像データを生成する。なお、コントローラ１８２は、画像データに色変換処理の他、色補正処理や空間周波数補正処理等の公知の画像処理を実行しても良い。画像データの生成が完了するとコントローラ１８２は、エンジン１８１に生成された画像データに基づく画像の形成を要求する。
【００４９】
この要求に基づいて、エンジン１８１のモータ制御部１８３２は、給紙ローラ用モータ１１３に電力が供給されるよう制御する。これにより、給紙ローラ１１２は、給紙ローラ用モータ１１３によって駆動されて、給紙カセット１１１に収容された用紙を一枚ずつ画像形成装置１内の搬送経路に給紙する。
【００５０】
続いて、モータ制御部１８３２は、搬送ローラ用モータ１２２に電力が供給されるよう制御する。これにより、搬送ローラ１２１は、搬送ローラ用モータ１２２によって駆動されて、給紙された用紙を転写部１４０の方向へ搬送する。タイミングローラ１２３は、搬送ローラ１２１によって搬送された用紙の先端部を挟み込み、転写位置で用紙を２次転写するタイミングになるまで待機する。
【００５１】
一方、各画像形成ユニット１３０は、生成された画像データに基づいて、各トナー（Ｃ，Ｍ，Ｙ，Ｋ）のトナー像を作像する。この場合、帯電器１３２は、反時計回りに回転する感光ドラム１３１の表面を一様に帯電させる。
【００５２】
モータ制御部１８３２は、ポリゴンモータ１３３ｚに電力が供給されるよう制御する。これにより、ポリゴンミラー１３３ｙは、ポリゴンモータ１３３ｚによって駆動されて、回転する。ＬＤ１３３ｘは、回転するポリゴンミラーに、生成された画像データの色分解データに基づきレーザー光を照射する。
【００５３】
照射されたレーザー光は、回転するポリゴンミラーによって反射方向を変えられながら、反射する。反射されたレーザー光は、帯電された感光ドラム（１３１ａ，１３１ｂ，１３１ｃ，１３１ｄ）の表面を走査する。これにより、帯電後の感光ドラム（１３１ａ，１３１ｂ，１３１ｃ，１３１ｄ）には各色分解データ（Ｃ，Ｍ，Ｙ，Ｋ）によって示される画像に対応した静電潜像が形成される。
【００５４】
各静電潜像が形成されると、現像器１３４は、感光ドラム（１３１ａ，１３１ｂ，１３１ｃ，１３１ｄ）の静電潜像をトナー（Ｃ，Ｍ，Ｙ，Ｋ）を用いて現像し、トナー像（Ｃ，Ｍ，Ｙ，Ｋ）を作像する。
【００５５】
現像されたトナー像は、１次転写ローラ１３５によって１次転写バイアスがかけられることで、図１において時計回りに循環移動する中間転写ベルト１４３に順次重ねて転写される（一次転写）。中間転写ベルト１４３にトナー像が１次転写された後、感光ドラム１３１の表面は、除電器１３６によって除電される。また、除電された感光ドラム１３１の表面に残った転写残トナーは、清掃器１３７によって除去される。
【００５６】
一次転写されたトナー像は、中間転写ベルト１４３に付着した状態で移動し、２次転写ローラ１４４によって２次転写バイアスがかけられることで用紙に転写される（２次転写）。この用紙は、中間転写ベルト１４３上のトナー像が移動するタイミングに合わせて、タイミングローラ１２３によって送り出されたものである。２次転写が完了すると、用紙は定着位置に搬送される。
【００５７】
定着ローラのヒータ１５１は、ヒータ制御部１８３３の制御により予め電力が供給され、所定の出力で熱を発生している。これにより、加熱ローラ１５２と加圧ローラ１５４とによって形成される接触面（ニップ部）を通過する用紙に所定の熱が加えられ、トナー（Ｃ，Ｍ，Ｙ，Ｋ）は可塑化する。また、可塑化したトナー及び用紙には、加圧ローラ１５４によって圧力が加えられることで、トナーが用紙に密着すると共に、用紙の繊維間に入り込むことで定着する。
【００５８】
また、ファン１５３は、ヒータ制御部１８３３の制御により予め電力が供給され、所定の出力で回転している。これにより、ファン１５３は、ヒータ１５１が発生した熱を画像形成装置１の外に排気する。
【００５９】
トナーが定着された用紙の搬送経路は、不図示の切替手段によって、両面印刷ユニット１６１側に向かう第１の経路、又は排紙ローラ１６４に向かう第２の経路に切り替えられる。この場合、切替手段は、画像形成要求情報に含まれる印刷条件に基づいて搬送方向を切り替える。
【００６０】
搬送経路が第１の経路に切り替えられた場合、モータ制御部１８３２は、反転ローラ用モータ１６３に電力が供給されるよう制御する。これにより、反転ローラ１６２は、反転ローラ用モータ１６３によって駆動されて、用紙を所定の反転部に引き込む方向に回転する。更に、モータ制御部１８３２は、反転ローラ用モータ１６３が反転するよう制御する。これにより、反転ローラ１６２は、反転ローラ用モータ１６３によって反対方向に駆動されて、用紙をタイミングローラ１２３に至る搬送経路に送り出す。
【００６１】
搬送経路が第２の経路に切り替えられた場合、モータ制御部１８３２は、排紙ローラ用モータ１６５に電力が供給されるよう制御する。これにより、排紙ローラ１６４は、排紙ローラ用モータ１６５によって駆動されて、トナーを定着させた用紙を排紙トレイ１６６に排紙する。
【００６２】
次に、図７を用いて表示操作パネル１８２５がシャットダウン処理の要求を受け付けた後の画像形成装置１の処理について説明する。図７は、シャットダウン処理の要求を受け付けた後の画像形成装置１の処理を示した処理フロー図である。
【００６３】
表示操作パネル１８２５は、ユーザからの電源ＯＦＦ（シャットダウン）の要求を受け付けると、コントローラ１８２は、シャットダウンの様式（シャットダウンモード）を決定する（ステップＳ１）。このシャットダウンモードは、フェイルセーフな制御に基づいて電源を遮断する第１のモードと、第１のモードと比較してより時間を短縮させて電源を遮断する第２のモードとを有する。
【００６４】
コントローラ１８２がシャットダウンモードを決定する方法は特に限定されない。例えば、コントローラ１８２は、ユーザからシャットダウンの実行を受け付けた時刻に基づいて、第１のモードでシャットダウンを実行するか、第２のモードでシャットダウンを実行するか決定しても良い。
【００６５】
コントローラ１８２は、例えば、予め定められた画像形成装置１の使用頻度の高い時間（例えば、９時〜１８時）にシャットダウンの実行を受け付けた場合、時間を短縮させて電源を遮断する第２のモードを実行する決定をしても良い。これにより、画像形成装置１のシャットダウンの実行中に再び画像形成装置１を使用する必要性が生じた場合、シャットダウンの時間が短縮されるため再び画像形成装置１を復旧するまでの時間が短くなる。
【００６６】
決定されたシャットダウンモードが第１のモードである場合（ステップＳ２のＹＥＳ）、コントローラ１８２は、エンジン１８１に第１のモードによるシャットダウンの要求をする（ステップＳ３）。決定されたシャットダウンモードが第２のモードである場合（ステップＳ２のＮＯ）、コントローラ１８２は、エンジン１８１に第２のモードによるシャットダウンの要求をする（ステップＳ４）。
【００６７】
次に図８を用いて、第１のモードによるシャットダウン処理を説明する。図８は、第１のモードによるシャットダウン処理を示した概念図である。まず、コントローラ１８２は、エンジン１８１に実行中の処理を完了させて負荷を安全に停止する処理（安全停止処理）を要求する。例えば、画像形成装置１が印刷実行中の場合には、エンジン１８１は、印刷中の用紙がすべて排紙ローラ１６４によって排紙されてから、負荷を停止する要求をする。
【００６８】
安全停止処理が完了すると、コントローラ１８２は、フェイルセーフな制御に基づいて、エンジン１８１に対して、外部電源を遮断する前に稼働を停止する必要のあるすべての負荷に対して稼働の停止の要求をする。この場合、コントローラ１８２は、稼動中の負荷と、例えば、安全停止処理によって停止した停止済みの負荷とを区別せず、すべての負荷に対して停止の要求をする。
【００６９】
コントローラ１８２は、エンジン１８１から負荷の停止を示す情報を受信すると、停止処理が完了したと判断する。図８に示されるように、ポリゴンモータ１３３ｚのように、停止要求後にも惰性動作する負荷については、惰性動作が停止するための時間を要するため、停止処理を開始してから完了するまでの時間が長くなる。
【００７０】
すべての負荷の停止処理が完了すると、コントローラ１８２は、画像形成装置１の電源を遮断する。第１のモードによるシャットダウン時間Ｔ１は、安全停止処理時間ｔ１１と、各負荷の停止処理時間ｔ１２との和となる。
【００７１】
次に図９を用いて、第２のモードによるシャットダウン処理を説明する。図９は、第２のモードによるシャットダウン処理を示した概念図である。まず、コントローラ１８２は、第１のモードと同様に、エンジン１８１に負荷の安全停止を要求する。
【００７２】
安全停止処理が完了すると、コントローラ１８２は、エンジン１８１に対して、稼働中の負荷に対して停止の要求をし、停止している負荷に対しては停止の要求をしない。コントローラ１８２が負荷の停止を判断する方法については、後述する。
【００７３】
コントローラ１８２は、エンジン１８１から負荷の停止を示す情報を受信すると、停止処理が完了したと判断する。なお、停止要求後にも惰性動作する特定の負荷については、コントローラ１８２は、惰性動作の停止を待たず、停止処理が完了したと判断する。コントローラ１８２が、惰性動作する負荷について判断する方法については、後述する。
【００７４】
特定の負荷を除くすべての負荷の停止処理が完了すると、外部電源スイッチ１８４６は、画像形成装置１の外部電源を遮断する。第２のモードによるシャットダウン時間Ｔ２は、安全停止処理時間ｔ２１と、各負荷の停止処理時間ｔ２２との和となる。この場合、モード２のシャットダウン時間Ｔ２は、停止した負荷に対しては停止の要求をせず、特定の負荷については負荷の停止を待たないことから、モード１のシャットダウン時間Ｔ１よりも、時間Ｔ３の分だけ短縮される。
【００７５】
次に図１０を用いて、コントローラ１８２が、画像形成装置１の各負荷の稼働の状態を管理する処理を説明する。図１０は、画像形成装置１の各負荷の稼働の状態を管理する処理を示した処理フロー図である。まず、エンジン１８１では、図３に示されている状態検知部１８３１が、画像形成装置１の各負荷の稼働の状態を定期的に検知している（ステップＳ１１）。
【００７６】
この場合、状態検知部１８３１は、画像形成装置１において外部電源を遮断する前に稼働を停止する必要のある負荷について状態を検知する。なお、これらの負荷は、状態管理テーブル（図４参照）で管理された負荷である。状態検知部１８３１が負荷の状態を検知する方法としては、例えば、モータ（１１３，１２２，１３３ｚ，１５５，１６３，１６５）、ファン１５３、ヒータ１５１等を稼働するためにＡＳＩＣ１８１５から各機構に対して出力される信号を検知する方法が挙げられる。
【００７７】
状態検知部１８３１によっていずれかの負荷の稼働の状態が検知されると、状態検知部１８３１はこの負荷を示す負荷情報と、検知された状態を示す状態情報をコントローラ１８２側に送信する。これらの情報を受信すると、コントローラ１８２の状態管理部１８４１は、受信された状態情報と、状態管理テーブルで管理された状態情報とが一致するか判断する（ステップＳ１２）。この場合、状態管理部１８４１は、受信された負荷情報に基づいて状態情報管理テーブル（図４参照）を検索し、対応した状態情報を取得する。これにより、状態管理部１８４１は、受信された状態情報と取得された状態情報とを比較することにより、それぞれ一致するか判断することができる。
【００７８】
受信された状態情報と、状態管理テーブル（図４参照）で管理される状態情報とが一致しないと判断された場合（ステップＳ１２のＮＯ）、状態管理部１８４１は、状態管理テーブルで管理される状態情報を受信された状態情報に更新する（ステップＳ１３）。これにより、状態管理テーブル（図４参照）は、各負荷の最新の状態を管理することが可能となる。
【００７９】
次に図１１を用いて、コントローラ１８２が、負荷の停止を要求する処理について説明する。図１１は、負荷の停止を要求する処理を示した処理フロー図である。まず、停止判断部１８４２は、画像形成装置１の外部電源を遮断する前に稼働を停止する必要のある負荷毎に、負荷の稼働が停止されているか判断する（ステップＳ２１）。この場合、停止判断部１８４２は、状態管理テーブル（図４参照）を参照して、状態情報が「０」である負荷については停止していると判断し、状態情報が「１」である負荷については停止していないと判断する。
【００８０】
コントローラ１８２は、停止されていると判断された負荷（ステップＳ２１のＹＥＳ）の停止を要求しない。これにより、停止済みの負荷に対して停止要求をする必要がなくなるため、シャットダウンに要する時間を短縮することができる。
【００８１】
停止されていないと判断された負荷（ステップＳ２１のＮＯ）について、順位判断部１８４３は、停止させる順位があるか判断する（ステップＳ２２）。この場合、順位判断部１８４３は、停止されていないと判断された負荷について、その負荷を示す負荷情報をキーとして順位管理テーブル（図５参照）を検索し、対応した順位情報を取得する。取得された順位情報が「０」である場合、順位判断部１８４３は、停止させる順位のない負荷であると判断する。取得された順位情報が「０」でない場合、順位判断部１８４３は、停止させる順位のある負荷であると判断する。
【００８２】
コントローラ１８２の停止要求部１８４４は、停止させる順位のない負荷については（ステップＳ２２のＮＯ）、即時にエンジン１８１に対して停止を要求する（ステップＳ２３）。これにより、停止要求部１８４４は、速やかにエンジン１８１に対して停止を要求することができる。
【００８３】
停止要求部１８４４は、停止させる順位のある負荷については（ステップＳ２２のＮＯ）、すべての負荷について停止順の判断がされてから、停止させる順位通りにエンジン１８１に対して停止を要求する（ステップＳ２４）。この場合、停止要求部１８４４は、取得された順位情報が小さい負荷を先に停止させるよう要求する。これにより、最適な順位で負荷を停止することができるので、画像形成装置１のエラーの発生を防ぐことができる。
【００８４】
停止要求部１８４４から負荷の停止を要求されると、エンジン１８１は各負荷を停止する。例えば、定着部モータ１５５の停止の要求が受け付けられた場合、エンジン１８１のモータ制御部１８３２は、定着部モータ１５５の稼働を停止するよう制御する。状態検知部１８３１は、モータ制御部１８３２の制御によって負荷の稼働が停止したことを検知すると、負荷を示す負荷情報と、対しの状態を示す状態情報「０」とを、コントローラ１８２に送信する。
【００８５】
次に、図１２を用いて、コントローラ１８２が、電源を遮断する準備段階の処理について説明する。図１２は、電源を遮断する準備段階の処理を示した処理フロー図である。まず惰性判断部１８４５は、停止要求部１８４４によって停止の要求がされた負荷が、惰性動作する負荷であるか判断する（ステップＳ４１）。この場合、惰性判断部１８４５は、停止要求部１８４４によって停止の要求がされた負荷を示す負荷情報を検索キーとして、惰性管理テーブル（図６参照）を検索し、対応した惰性情報を取得する。惰性判断部１８４５は、取得された惰性情報が「０」である場合、惰性動作しないと判断する。また、惰性判断部１８４５は、惰性情報が「１」である場合、惰性動作すると判断する。
【００８６】
惰性判断部によって惰性動作すると判断された場合（ステップＳ４１のＹＥＳ）、状態管理部１８４１は、惰性動作の停止を待たずに、状態管理テーブルを更新する（ステップＳ４２）。状態管理部１８４１は、例えば、第１のモードで、惰性動作をする負荷毎に定められた停止時間を待って状態管理テーブルを更新していた場合、停止時間を待たずに状態管理テーブルを更新する処理方法に切り替える。状態管理部１８４１は、状態管理テーブル（図４参照）において、この負荷の負荷情報に対応した状態情報を、停止を示す「０」に更新させる。これにより、惰性動作する負荷については、エンジン１８１からの負荷の停止を示す情報を待つことなく、停止したものとみなしてシャットダウンの処理を進めることができる。
【００８７】
惰性判断部によって惰性動作しないと判断された場合（ステップＳ４１のＮＯ）、状態管理部１８４１は、エンジン１８１の状態検知部１８３１によって送信される負荷の稼働の停止を示す状態情報の受信を待つ。状態情報が受信されると、状態管理部１８４１は、状態管理テーブル（図４参照）において、この負荷を示す負荷情報に対応した状態情報を、停止を示す「０」に更新させる（ステップＳ４２）。
【００８８】
状態管理テーブル（図４参照）で管理される状態情報が更新されて、すべての負荷に対応する状態情報が「０」になると、外部電源スイッチ１８４６は、画像形成装置１の外部電源２００を遮断して、シャットダウン処理を完了する。
【００８９】
＜＜実施形態の補足＞＞
上記実施形態では、状態検知部１８３１が、ＡＳＩＣ１８１５から各機構に対して出力される信号に基づき負荷を検知し、状態管理テーブル（図４参照）は、状態検知部１８３１の検知結果に基づいて各負荷の稼働の状態を管理した。しかしながら、本発明は、上記実施形態に限られるものではない。状態管理テーブルは、コントローラ１８２から、エンジン１８１への負荷の稼働の要求及び負荷の停止の要求のうち、最先の要求に基づいて状態情報を管理するようにしても良い。これにより、エンジン１８１が状態検知部１８３１を有していない場合でも、各負荷の稼働の状態の判断が可能になる。
【００９０】
上記実施形態において、状態管理部１８４１、停止判断部１８４２、順位判断部１８４３、停止要求部１８４４、惰性判断部１８４５は、コントローラ１８２に設けられていた。しかしながら、本発明は、上記実施形態に限られるものではない。例えば、状態管理部１８４１、停止判断部１８４２、順位判断部１８４３、停止要求部１８４４、惰性判断部１８４５の全部又は一部は、エンジン１８１に設けられていても良い。この場合、エンジン１８１に設けられた上記の各部は、図２に示されている各構成要素のいずれかが、エンジンＲＯＭ１８１２に記憶されているプログラムに従ったエンジンＣＰＵ１８１１からの命令によって動作することで実現される。この場合、シャットダウンの主な制御は、エンジン１８１によって実行されることとなる。この制御の結果は、コントローラ１８２通知されることにより、記憶部１８５の各管理ＤＢで管理される。
【００９１】
上記実施形態では、画像形成装置１は、通信ネットワークを介して画像出力端末によって送信された画像データに基づいて画像を形成した。しかしながら、本発明は、上記実施形態に限られるものではない。画像形成装置１は、スキャナ１７２によって読み取られた画像の画像データに基づいて画像を形成しても良い。
【００９２】
上記実施形態では、電源遮断装置の一例としての制御部１８０は、画像形成装置１に備えられていた。しかしながら、本発明は、上記実施形態に限られるものではない。制御部１８０は、電力の供給を制御することによって稼働する負荷を有するものであれば、他の情報処理装置に備えられていても良い。他の情報処理装置としては、例えば負荷の一例としての光源を冷却するファンを備えたプロジェクター、ディスプレイ、及びテレビ会議端末などが挙げられる。この場合、制御部１８０のファン制御部１８３４が他の情報処理装置のファンへの電力の供給を制御する構成とすることにより、上記の実施形態と同様のシャットダウン処理のプロセスを実現することができる。
【００９３】
＜＜実施形態の主な効果＞＞
以上説明したように、本実施形態の画像形成装置１は、シャットダウンの要求が受け付けられると、停止判断部は１８４２、画像形成装置１の外部電源を遮断する前に稼働を停止する必要のある負荷毎に、稼働が停止されているか判断する。停止要求部１８４４は、稼働が停止されていないと判断された負荷について、エンジン１８１に対して負荷の稼働の停止の要求をする。この負荷に対する稼働が停止すると、外部電源スイッチ１８４６は、画像形成装置１の外部電源２００を遮断する。これにより、停止要求部１８４４は、稼働が停止されていた負荷に対しては、電力の供給の停止の要求をしないことが可能となるので、シャットダウンに要する時間を短縮することができるという効果を奏する。
【００９４】
また、本実施形態によれば、惰性管理テーブル（図６参照）は、停止要求後も惰性動作する負荷を管理する。この場合、状態管理部１８４１は、惰性動作する負荷については、惰性動作の停止を待つことなく、停止したものとみなして状態管理テーブル（図４参照）を更新する。これにより、シャットダウンに要する時間を短縮することができるという効果を奏する。
【００９５】
また、本実施形態によれば、順位管理テーブル（図５参照）は、画像形成装置１の外部電源を遮断する前に稼働を停止する必要のある負荷を示す負荷情報と、この負荷を停止する際の停止する順位を示す順位情報と、を対応付けて管理する。順位判断部１８４３は、負荷を示す負荷情報をキーとして順位管理テーブルを検索し、対応した順位情報を取得する。停止要求部１８４４は、取得された順位情報が小さい順位に従い負荷の停止を要求する。これにより、最適な順位に従いで負荷を停止することができるので、画像形成装置１のエラーの発生を防ぐことができる。
【００９６】
また、本実施形態によれば、モータ制御部１８３２は、ＡＳＩＣ１８１５からの信号の出力により、給紙ローラ用モータ１１３、搬送ローラ用モータ１２２、ポリゴンモータ１３３ｚ、定着部モータ１５５、反転ローラ用モータ１６３、及び排紙ローラ用モータ１６５への電力の供給を制御する。ヒータ制御部１８３３は、ＡＳＩＣ１８１５からの信号の出力により、ヒータ１５１への電力の供給を制御する。ファン制御部１８３４は、ＡＳＩＣ１８１５からの信号の出力により、ファン１５３への電力の供給を制御する。
【００９７】
状態検知部１８３１は、ＡＳＩＣ１８１５からの信号の出力に基づいて負荷の稼働の状態を検知する。これにより、状態検知部１８３１は、実測された信号に基づいて、負荷の稼働の状態を正確に検知できるという効果を奏する。
【００９８】
また、本実施形態によれば、状態管理テーブル（図４参照）は、コントローラ１８２から、エンジン１８１への負荷の稼働の要求及び負荷の停止の要求のうち、最先の要求に基づいて状態情報を管理するようにしても良い。これにより、エンジン１８１が状態検知部１８３１を有していない場合でも、各負荷の稼働の状態の判断が可能になる。
【符号の説明】
【００９９】
１  画像形成装置
１１１  給紙カセット
１１２  給紙ローラ
１１３  給紙ローラ用モータ
１２１  搬送ローラ
１２２  搬送ローラ用モータ
１２３  タイミングローラ
１３０  画像形成ユニット
１３１  感光ドラム
１３２  帯電器
１３３  書込ユニット
１３３ｘ  ＬＤ
１３３ｙ  ポリゴンミラー
１３３ｚ  ポリゴンモータ
１３４  現像器
１３５  １次転写ローラ
１３６  除電器
１３７  清掃器
１４１  ローラ
１４２  ２次対向ローラ
１４３  中間転写ベルト
１４４  ２次転写ローラ
１５１  ヒータ
１５２  加熱ローラ
１５３  ファン
１５４  加圧ローラ
１５５  定着部モータ
１６１  両面印刷ユニット
１６２  反転ローラ
１６３  反転ローラ用モータ
１６４  排紙ローラ
１６５  排紙ローラ用モータ
１６６  排紙トレイ
１７１  原稿給紙部
１７２  スキャナ
１７３  原稿排紙部
１８０  制御部  （電源遮断装置の一例）
１８１  エンジン
１８２  コントローラ  （開始要求部の一例）
１８５  記憶部
１８００  ＰＣＩバス
１８１１  エンジンＣＰＵ
１８１２  エンジンＲＯＭ
１８１３  エンジンＲＡＭ
１８１４  エンジンＮＶＲＡＭ
１８２１  コントローラＣＰＵ
１８２２  コントローラＲＯＭ
１８２３  コントローラＲＡＭ
１８２４  コントローラＮＶＲＡＭ
１８２５  表示操作パネル  （受付部の一例）
１８２６  Ｉ／Ｆ
１８２７  バスライン
１８３１  状態検知部  （信号検知部の一例）
１８３２  モータ制御部  （負荷制御部の一例）
１８３３  ヒータ制御部  （負荷制御部の一例）
１８３４  ファン制御部  （負荷制御部の一例）
１８４１  状態管理部
１８４２  停止判断部  （判断部の一例）
１８４３  順位判断部  （順位取得部の一例）
１８４４  停止要求部
１８４５  惰性判断部
１８４６  外部電源スイッチ  （遮断部の一例）
１８４７  記憶読出処理部
１８５１  状態管理ＤＢ
１８５２  順位管理ＤＢ  （順位管理部の一例）
１８５３  惰性管理ＤＢ
【先行技術文献】
【特許文献】
【０１００】
【特許文献１】特開２０１０−１２０３２２号公報
【図１】
0005899736.tif 000002
【図２】
0005899736.tif 000003
【図３】
0005899736.tif 000004
【図４】
0005899736.tif 000005
【図５】
0005899736.tif 000006
【図６】
0005899736.tif 000007
【図７】
0005899736.tif 000008
【図８】
0005899736.tif 000009
【図９】
0005899736.tif 000010
【図１０】
0005899736.tif 000011
【図１１】
0005899736.tif 000012
【図１２】
0005899736.tif 000013